【手続補正書】
【提出日】平成17年8月9日(2005.8.9)
【手続補正１】
【補正対象書類名】明細書
【補正対象項目名】発明の名称
【補正方法】変更
【補正の内容】
【発明の名称】ズームレンズ及び撮像装置
【手続補正２】
【補正対象書類名】明細書
【補正対象項目名】特許請求の範囲
【補正方法】変更
【補正の内容】
【特許請求の範囲】
【請求項１】
物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群の焦点距離ｆ1 と第１群の少なくとも１つの正レンズの媒質の異常分散性ΔθgFが以下の条件を満たすことを特徴とするズームレンズ。
（１）    ６＜ｆ1 ／Ｌ＜２０
（２）    ０．０１５＜ΔθgF＜０．１
ただし、Ｌは結像面近傍に配設される有効撮像面の対角長。なお、各媒質（硝材）の異常分散性ΔθgFの定義は、
θgF＝ＡgF＋ＢgF・νd ＋ΔθgF
ただし、
θgF＝（ｎg −ｎF ）／（ｎF −ｎC ）
νd ＝（ｎd −１）／（ｎF −ｎC ）
ｎd 、ｎF 、ｎC 、ｎg はそれぞれｄ線、Ｆ線、Ｃ線、ｇ線に対する屈折率、ＡgF、ＢgFは、ガラスコード511605とガラスコード 620363 の２硝種で決まる直線の係数である。
【請求項２】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（３）    ３＜（Δｚ2 −Δｚ1 ）／Ｌ＜９
ただし、像側への移動を正とする。Ｌは結像面近傍に配設される有効撮像面の対角長。
【請求項３】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（４）    −１．０＜Δｚ1 ／Δｚ2 ＜０．５  （Δｚ2 ＞０）
ただし、像側移動を正とする。
【請求項４】
物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群は像側に凸の往復軌跡を描きつつ移動し、無限遠物点合焦時の第１群の広角端から中間焦点距離ｆM （＝√（ｆW ・ｆT ））までの移動量Δｚ1WM が正であることを特徴とするズームレンズ。ただし、像側への移動を正とする。なお、ｆW は広角端無限物点合焦時の、ｆT は望遠端無限物点合焦時の全系合成焦点距離。
【請求項５】
物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（４）    −１．０＜Δｚ1 ／Δｚ2 ＜０．５  （Δｚ2 ＞０）
ただし、像側移動を正とする。
【請求項６】
物体側から順に、変倍時に光軸に沿って可動の正の屈折力を有する第１群と、広角端から望遠端へ変倍する際に光軸に沿って像側へ移動する負の屈折力を有する第２群と、少なくとも２つの可動な副群を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（３）    ３＜（Δｚ2 −Δｚ1 ）／Ｌ＜９
（４）    −１．０＜Δｚ1 ／Δｚ2 ＜０．５  （Δｚ2 ＞０）
ただし、像側移動を正とする。Ｌは結像面近傍に配設される有効撮像面の対角長。
【請求項７】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、無限遠物点合焦時の第２群の広角端時倍率β2Wと望遠端時倍率β2Tの比Δβ2 （＝β2T／β2W）と全系の広角端から望遠端までのズーム比γに関し、以下の条件を満たすことを特徴とするズームレンズ。
（５）    ０．３＜ｌｏｇ（Δβ2 ）／ｌｏｇ（γ）＜０．８
（６）    ５＜γ＜１５
【請求項８】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、広角端無限物点合焦時の後群の合成倍率βrWに関し以下の条件を満たすことを特徴とするズームレンズ。
（７）    −０．６＜βrW＜−０．１
【請求項９】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、後群中の全ての可動の副群にはそれぞれ接合レンズ成分を少なくとも１つ有し、広角端無限物点合焦時の後群の合成倍率βrWに関し以下の条件を満たすことを特徴とするズームレンズ。
（７）    −０．６＜βrW＜−０．１
【請求項１０】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、前記後群の中、負の倍率を有する副群の中で最も物体側にある正の副群よりも像側の何れかの副群にてフォーカスを行ない、最も像側の正の副群の広角端無限物点合焦時倍率βRRW に関し、以下の条件を満たすことを特徴とするズームレンズ。
（８）    −０．４＜βRRW ＜０．９
【請求項１１】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み最も、像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、前記後群の副群の中、正の屈折力を有する最も物体側の副群の無限遠物点合焦時の広角端から望遠端までの移動量ΔｚRF、最も像側の正の副群の無限遠物点合焦時の広角端から望遠端までの移動量ΔｚRRに関し、以下の条件を満たすことを特徴とするズームレンズ。
（９）    −０．４＜ΔｚRR／ΔｚRF＜０．８
（10）    ０．３＜｜ΔｚRF｜／Ｌ＜４．０
ただし、Ｌは結像面近傍に配設される有効撮像面の対角長。
【請求項１２】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの可動な副群を有し全体で６枚以上１１枚以下のレンズを有する後群とよりなり、前記後群には、正の屈折力を有しかつ負の倍率を有する副群と最も像側の正の副群とを有し、変倍時にそれぞれの相対位置が変化し、前記２つの正の副群は接合レンズ成分、非球面、ν＞８０（ν：アッベ数）以上の硝材を用いたレンズを少なくともそれぞれ１つ含むことを特徴とするズームレンズ。
【請求項１３】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの正の可動な副群を有し全体で７枚以上１１枚以下のレンズを有する後群とよりなり、後群の最も物体側の副群は負の屈折力を有することを特徴とするズームレンズ。
【請求項１４】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの正の可動な副群を有し全体で７枚以上１１枚以下のレンズを有する後群とよりなり、後群の最も物体側の副群は１つの負レンズ成分からなることを特徴とするズームレンズ。
【請求項１５】
物体側から順に、変倍時に光軸に沿って可動の正の屈折力を有する第１群と、広角端から望遠端へ変倍する際に光軸に沿って像側へ移動する負の屈折力を有し、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、群中の何れかの面が非球面である第２群と、少なくとも２つの正の可動な副群を有し全体で７枚以上１１枚以下のレンズを有する後群とよりなり、後群の最も物体側の副群は開口絞り近傍に常時固定であり、１つの負レンズ成分からなることを特徴とするズームレンズ。
【請求項１６】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群の焦点距離ｆ1 が以下の条件を満たすことを特徴とするズームレンズ。
（１）    ６＜ｆ1 ／Ｌ＜２０
ただし、Ｌは結像面近傍に配設される有効撮像面の対角長。
【請求項１７】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群の焦点距離ｆ1 と第１群の少なくとも１つの正レンズの媒質の異常分散性ΔθgFが以下の条件を満たすことを特徴とするズームレンズ。
（１）    ６＜ｆ1 ／Ｌ＜２０
（２）    ０．０１５＜ΔθgF＜０．１
ただし、Ｌは結像面近傍に配設される有効撮像面の対角長。なお、各媒質（硝材）の異常分散性ΔθgFの定義は、
θgF＝ＡgF＋ＢgF・νd ＋ΔθgF
ただし、
θgF＝（ｎg −ｎF ）／（ｎF −ｎC ）
νd ＝（ｎd −１）／（ｎF −ｎC ）
ｎd 、ｎF 、ｎC 、ｎg はそれぞれｄ線、Ｆ線、Ｃ線、ｇ線に対する屈折率、ＡgF、ＢgFは、ガラスコード511605とガラスコード 620363 の２硝種で決まる直線の係数である。
【請求項１８】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（３）    ３＜（Δｚ2 −Δｚ1 ）／Ｌ＜９
ただし、像側への移動を正とする。Ｌは結像面近傍に配設される有効撮像面の対角長。
【請求項１９】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（４）    −１．０＜Δｚ1 ／Δｚ2 ＜０．５  （Δｚ2 ＞０）
ただし、像側移動を正とする。
【請求項２０】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群は像側に凸の往復軌跡を描きつつ移動し、無限遠物点合焦時の第１群の広角端から中間焦点距離ｆM （＝√（ｆW ・ｆT ））までの移動量Δｚ1WM が正であることを特徴とするズームレンズ。ただし、像側への移動を正とする。なお、ｆW は広角端無限物点合焦時の、ｆT は望遠端無限物点合焦時の全系合成焦点距離。
【請求項２１】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（４）    −１．０＜Δｚ1 ／Δｚ2 ＜０．５  （Δｚ2 ＞０）
ただし、像側移動を正とする。
【請求項２２】
物体側から順に、変倍時に光軸に沿って可動の正の屈折力を有する第１群と、広角端から望遠端へ変倍する際に光軸に沿って像側へ移動する負の屈折力を有する第２群と、それに続き少なくとも２つの変倍時に可変な間隔を有する後群とよりなり、第１群は像側に凸の往復軌跡を描きつつ移動し、無限遠物点合焦時の第１群の広角端から望遠端までの移動量Δｚ1 、無限遠物点合焦時の第２群の広角端から望遠端までの移動量Δｚ2 に関して以下の条件を満たすことを特徴とするズームレンズ。
（３）    ３＜（Δｚ2 −Δｚ1 ）／Ｌ＜９
（４）    −１．０＜Δｚ1 ／Δｚ2 ＜０．５  （Δｚ2 ＞０）
ただし、像側移動を正とする。Ｌは結像面近傍に配設される有効撮像面の対角長。
【請求項２３】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、第２群は、少なくとも３つの負レンズを含み、最も像側が正レンズの構成か、又は、最も物体側の３枚が負レンズであり、像側に正レンズを含む構成か、又は、負レンズを含み、最も像側の２枚が正レンズの構成であり、さらに、第２群中の何れかの面が非球面であり、無限遠物点合焦時の第２群の広角端時倍率β2Wと望遠端時倍率β2Tの比Δβ2 （＝β2T／β2W）と全系の広角端から望遠端までのズーム比γに関し、以下の条件を満たすことを特徴とするズームレンズ。
（５）    ０．３＜ｌｏｇ（Δβ2 ）／ｌｏｇ（γ）＜０．８
（６）    ５＜γ＜１５
【請求項２４】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、広角端無限物点合焦時の後群の合成倍率βrWに関し以下の条件を満たすことを特徴とするズームレンズ。
（７）    −０．６＜βrW＜−０．１
【請求項２５】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、後群中の全ての可動の副群にはそれぞれ接合レンズ成分を少なくとも１つ有し、広角端無限物点合焦時の後群の合成倍率βrWに関し以下の条件を満たすことを特徴とするズームレンズ。
（７）    −０．６＜βrW＜−０．１
【請求項２６】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも２つの変倍時に可変な間隔を有する後群とよりなり、前記後群の中、負の倍率を有する副群の中で最も物体側にある正の副群よりも像側の何れかの副群にてフォーカスを行ない、最も像側の正の副群の広角端無限物点合焦時倍率βRRW に関し、以下の条件を満たすことを特徴とするズームレンズ。
（８）    −０．４＜βRRW ＜０．９
【請求項２７】
物体側から順に、変倍時に光軸に沿って可動の正の屈折力を有する第１群と、広角端から望遠端へ変倍する際に光軸に沿って像側へ移動する負の屈折力を有する第２群と、複数の副群を有する後群とよりなり、前記後群の副群の中、、正の屈折力を有する最も物体側の副群の無限遠物点合焦時の広角端から望遠端までの移動量ΔｚRF、最も像側の正の副群の無限遠物点合焦時の広角端から望遠端までの移動量ΔｚRRに関し、以下の条件を満たし、前記２つの正の副群の間にそれらに対し変倍時に相対位置が変化する副群を有することを特徴とするズームレンズ。
（９）    −０．４＜ΔｚRR／ΔｚRF＜０．８
（10）    ０．３＜｜ΔｚRF｜／Ｌ＜４．０
ただし、Ｌは結像面近傍に配設される有効撮像面の対角長。
【請求項２８】
物体側から順に、変倍時に光軸に沿って可動の正の屈折力を有する第１群と、広角端から望遠端へ変倍する際に光軸に沿って像側へ移動する負の屈折力を有する第２群と、複数の副群を有する後群とよりなり、前記後群には、正の屈折力を有しかつ負の倍率を有する副群と最も像側の正の副群と、その２つの正の副群の間に負の副群とを有し、変倍時にそれぞれの相対位置が変化し、前記2 つの正の副群には接合レンズ成分、非球面、ν＞８０（ν：アッベ数）以上の硝材を用いたレンズを少なくともそれぞれ１つ含むことを特徴とするズームレンズ。
【請求項２９】
物体側から順に、変倍時に光軸に沿って可動の正の屈折力を有する第１群と、広角端から望遠端へ変倍する際に光軸に沿って像側へ移動する負の屈折力を有する第２群と、複数の副群を有する後群とよりなり、前記後群の副群の中、正の屈折力を有しかつ負の倍率を有する最も物体側の副群の無限遠物点合焦時の広角端から望遠端までの移動量ΔｚRF、最も像側の正の副群の無限遠物点合焦時の広角端から望遠端までの移動量ΔｚRRに関し、以下の条件を満たし、前記２つの正の副群の間にそれらに対し変倍時に相対位置が変化する負の副群を有し、無限遠物点合焦時の前記負の副群の広角端から望遠端までの移動量ΔｚRNに関し以下の条件を満たすことを特徴とするズームレンズ。
（９）    −０．４＜ΔｚRR／ΔｚRF＜０．８
（10）    ０．３＜｜ΔｚRF｜／Ｌ＜４．０
（11）    −２＜ΔｚRN／Ｌ＜１
ただし、Ｌは結像面近傍に配設される有効撮像面の対角長。
【請求項３０】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも３つの変倍時に可変な間隔を有する後群とよりなり、後群の最も物体側の副群は負の屈折力を有することを特徴とするズームレンズ。
【請求項３１】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも３つの変倍時に可変な間隔を有する後群とよりなり、後群の最も物体側の副群は１つの負レンズ成分からなることを特徴とするズームレンズ。
【請求項３２】
物体側から順に、変倍時に光軸に沿って可動の正の屈折力を有する第１群と、広角端から望遠端へ変倍する際に光軸に沿って像側へ移動する負の屈折力を有する第２群と、それに続く少なくとも３つの変倍時に可変な間隔を有する後群とよりなり、後群の最も物体側の副群は開口絞り近傍に常時固定であり、１つの負レンズ成分からなることを特徴とするズームレンズ。
【請求項３３】
前記後群の最も物体側の正屈折力の副群は、負の倍率を有することを特徴とする請求項１〜１２あるいは１６〜２９の何れか１項記載のズームレンズ。
【請求項３４】
変倍域に撮影可能画角２ω＝７０°を含むことを特徴とする請求項１〜３２の何れか１項記載のズームレンズ。
【請求項３５】
広角端無限物点合焦時のバックフォーカス（空気換算長）ＦBWに関し以下の条件を満たすことを特徴とする請求項１〜３２の何れか１項記載のズームレンズ。
（12）    ２．０＜ＦBW／ｆW ＜５．０
ただし、ｆW は広角端無限物点合焦時の全系合成焦点距離。
【請求項３６】
広角端無限物点合焦時の最小Ｆ値ＦW に関し以下の条件を満たすことを特徴とする請求項１〜３２の何れか１項記載のズームレンズ。
（13）    １．４＜ＦW ＜３．5
【請求項３７】
広角端における入射瞳位置ＥＮＰに関し以下の条件を満たすことを特徴とする請求項１〜３２の何れか１項記載のズームレンズ。
（14）    ２＜ＥＮＰ／Ｌ＜５
ただし、Ｌは結像面近傍に配設される有効撮像面の対角長。
【請求項３８】
画素間隔ａが、
１．０×１０-4  ×Ｌ＜ａ＜６．０×１０-4×Ｌ（ｍｍ）
なる撮像素子を有する撮影装置の結像光学系として使用されることを特徴とする請求項１〜３２の何れか１項記載のズームレンズ。ただし、Ｌは結像面近傍に配設される有効撮像面の対角長。
【請求項３９】
請求項１〜３８の何れか２項以上を同時に満足することを特徴とするズームレンズ。
【請求項４０】
請求項１〜３９の何れか１項記載のズームレンズの結像面近傍に撮像素子を配したことを特徴とする撮像装置。
【請求項４１】
前記撮像素子を電子撮像素子とし、前記ズームレンズと前記電子撮像素子との間にローパスフィルターを配したことを特徴とする請求項４０記載の撮像装置。
【請求項４２】
前記ズームレンズと前記電子撮像素子との間に観察用の光路を分割する光学素子を配したことを特徴とする請求項４０又は４１記載の撮像装置。
【手続補正３】
【補正対象書類名】明細書
【補正対象項目名】０００１
【補正方法】変更
【補正の内容】
【０００１】
【発明の属する技術分野】
本発明は、ズームレンズ及び撮像装置に関し、特に、カメラ特にビデオカメラやデジタルカメラに適した広角域を含んだ大口径比で高変倍率なズームレンズとそれを用いた撮像装置に関するものである。
【手続補正４】
【補正対象書類名】明細書
【補正対象項目名】０００３
【補正方法】変更
【補正の内容】
【０００３】
【発明が解決しようとする課題】
本発明では従来技術のこのような現状に鑑みてなされたものであり、その目的は、広角高変倍比のズームレンズで、しかも広角端でのＦ値が２．０乃至２．８程度と明るいズームレンズとそれを用いた撮像装置を提供することである。
【手続補正５】
【補正対象書類名】明細書
【補正対象項目名】０２２１
【補正方法】変更
【補正の内容】
【０２２１】
【発明の効果】
以上の説明から明らかなように、本発明によると、デジタルカメラのように有効撮像面のサイズが小さいカメラ用で、しかも広角端でのＦ値が２．０乃至２．８程度と明るい広角高倍ズームレンズが実現できる。